(57)【要約】【課題】  相手機器及び通信線が、正常か、或いは異常状態である場合、その具体的な状態を、自機器の信号の入出力状態のみから判別することができる電子機器の異常検出装置を得ること。【解決手段】  通信線で接続された自制御機器１ａと相手制御機器１ｂにおいて、自制御機器１ａと相手制御機器１ｂに、通信線５０ａ乃至５０ｇの異常を検出し出力するケーブル抜け検出出力線と、相手制御機器１ｂのケーブル抜け検出出力線と接続されるケーブル抜け検出入力線と、自制御機器１ａの異常を検知して出力するエラー検出出力線と、このエラー検出出力線の出力を自制御機器１ａ内で折返して出力状態を監視するエラー検出折返し入力線と、相手制御機器１ｂのエラー検出出力線と接続されるエラー検出入力線とを備え、内部回路の入出力における論理レベルの変化から、相手制御機器１ｂ若しくは通信線５０ａ乃至５０ｇの異常を検出するもの。【選択図】        図１
2005242734.tif 000002
【特許請求の範囲】
【請求項１】
通信線で接続された第一の制御機器と第二の制御機器を有し、
前記第一の制御機器と前記第二の制御機器に、通信線が異常の場合にその異常を検出して出力するケーブル抜け検出出力線と、相手機器のケーブル抜け検出出力線と接続されるケーブル抜け検出入力線と、自機器が異常な場合にその異常を検知して出力するエラー検出出力線と、このエラー検出出力線の出力を自機器内で折返して出力状態を監視するエラー検出折返し入力線と、相手機器のエラー検出出力線の出力と接続されるエラー検出入力回路とを内部回路として備え、
相手機器若しくは通信線に異常が発生した場合、前記内部回路の入出力における論理レベルの変化から、その異常を検出することを特徴とする制御機器の異常検出装置。
【請求項２】
相手機器または通信線に異常がある場合、内部回路の入出力における論理レベルの組合せにより、相手機器及び通信線のどちらに異常があるのかを識別することを特徴とする請求項１に記載の制御機器の異常検出装置。
【請求項３】
異常を通知する通信線が全て断線した場合、内部回路の入出力における論理レベルの組合せにより、その断線を検出し、相手機器の異常時とは区別することを特徴とする請求項１または２のいずれかに記載の制御機器の異常検出装置。
【請求項４】
異常を通知する通信線の内いずれか一本が断線となった場合、内部回路の入出力における論理レベルの組合せにより、前記断線を検出し、相手機器の異常時とは区別することを特徴とする請求項１乃至３のいずれかに記載の制御機器の異常検出装置。
【請求項５】
異常を通知する通信線の内いずれかがＬ固定故障となった場合、内部回路の入出力における論理レベルの組合せにより、前記断線を検出し、相手機器の異常時とは区別することを特徴とする請求項１乃至４のいずれかに記載の制御機器の異常検出装置。
【請求項６】
第一の制御機器と第二の制御機器の内部回路として電源短絡検出回路を設け、この電源短絡検出回路により、異常検出部の電源とＧＮＤが短絡故障した場合、電源回路短絡の故障を検出し、相手機器若しくは通信線の異常とは区別することを特徴とする請求項１乃至５のいずれかに記載の制御機器の異常検出装置。
【発明の詳細な説明】
【技術分野】
【０００１】
この発明は、２台の制御機器を通信ケーブルで接続し、二重化構成された系において、異常検出とその識別を行なう制御機器の異常検出装置に関するものである。
【背景技術】
【０００２】
従来から２台の制御機器を通信ケーブルで接続し、二重化構成された系において、相手機器及び通信ケーブルの異常を検出、判別する技術はあった。しかし、従来の異常検出は、コネクタ外れと相手機器の異常の識別を目的としており、コネクタの部分的な接触不良や、通信ケーブル内の一部の通信線が異常となった場合に、相手機器異常と誤認識してしまう恐れがある（例えば、特許文献１参照）。
【０００３】
また、相手機器若しくは通信線に異常が発生した場合、自機器と相手機器の入出力状態若しくは、自機器と相手機器のＬＥＤの点灯状態から、相手機器若しくは通信線の異常の、検知若しくは判別を行う技術もあるが、これらの技術の場合、自機器及び相手機器における、信号の入出力状態やＬＥＤの点灯状態を監視する第三者が必要であり、自機器の信号の入出力状態のみで、相手機器及び通信線の異常を検知，判別することはできない（例えば、特許文献２，３参照）。
【０００４】
【特許文献１】特開平８−１２３７０５号公報
【特許文献２】特開平８−２４９２５８号公報
【特許文献３】実開昭６２−６６３５１号公報
【発明の開示】
【発明が解決しようとする課題】
【０００５】
以上に述べたような従来の制御機器の異常検出装置では、２台の制御機器を通信ケーブルで接続し、二重化構成された系を構築する場合、制御系の機器に異常がある時、待機系の機器は即座に制御を受け継がなければならない。しかし、単純にケーブル内の１本の通信線を用いて制御系の正常・異常を判断しようとすると、制御系が異常を通知しているのか、通信線に異常があるのかの区別ができない。通信線の異常であった場合は、制御系が正常に動作している可能性があり、待機系が制御を受け継ぐと、制御の競合が発生する恐れがあるため、待機系が異常を検知しても制御を受け継ぐべきではないが、  従来の異常検出装置では、通信線の異常が生じた際に、制御系が正常に動作しているか否かを判断することはできない、という問題点があった。
【０００６】
また、突き合わせ電源がケーブル内・コネクタ部等でＧＮＤと短絡した場合、異常通知回路が正常に動作せず、相手機器の状態を誤って判別してしまう恐れがある。従来の異常検出装置では、相手機器及び通信線の異常の検知及び判別において、通信線の異常と相手機器の異常を誤認識してしまう恐れがある。また、自機器及び相手機器における、信号の入出力状態及びＬＥＤの点灯状態を監視する第三者が必要であり、自機器の信号の入出力状態のみで相手機器及び通信線の異常を検知・判別することは不可能である、という問題点があった。
【０００７】
この発明は、かかる問題点を解決するためになされたもので、相手機器及び通信線が、相手機器及び通信線共に正常か異常か、異常である場合、それが通信線の故障か、相手機器の異常か、相手機器の電源断か、電源短絡か、を自機器の信号の入出力状態のみから判別することができ、制御系に異常が発生しても待機系が適切な処置をとることを可能とする制御機器の異常検出装置を得るものである。
【課題を解決するための手段】
【０００８】
この発明に係る制御機器の異常検出装置は、通信線で接続された第一の制御機器と第二の制御機器において、前記第一の制御機器と前記第二の制御機器に、通信線が異常の場合にその異常を検出して出力するケーブル抜け検出出力線と、相手機器のケーブル抜け検出出力線の出力と接続されるケーブル抜け検出入力線と、自機器が異常な場合にその異常を検知して出力するエラー検出出力線と、このエラー検出出力線の出力を自機器内で折返して出力状態を監視するエラー検出折返し入力線と、相手機器のエラー検出出力線の出力と接続されるエラー検出入力回路とを内部回路として備え、相手機器若しくは通信線に異常が発生した場合、前記内部回路の入出力における論理レベルの変化から、その異常を検出するものである。
【０００９】
また、相手機器または通信線に異常がある場合、内部回路の入出力における論理レベルの組合せにより、相手機器及び通信線のどちらに異常があるのかを識別するものである。
【００１０】
また、異常を通知する通信線が全て断線した場合、内部回路の入出力における論理レベルの組合せにより、その断線を検出し、相手機器の異常時とは区別するものである。
【００１１】
また、異常を通知する通信線の内いずれか一本が断線となった場合であっても、内部回路の入出力における論理レベルの組合せにより、その断線を検出し、相手機器の異常時とは区別するものである。
【００１２】
また、異常を通知する通信線の内いずれかがＬ固定故障となった場合であっても、内部回路の入出力における論理レベルの組合せにより、その断線を検出し、相手機器の異常時とは区別するものである。
【００１３】
更に、第一の制御機器と第二の制御機器の内部回路として電源短絡検出回路を設け、この電源短絡検出回路により、異常検出部の電源とＧＮＤが短絡故障した場合でも、電源回路短絡の故障を検出し、相手機器若しくは通信線の異常とは区別するものである。
【発明の効果】
【００１４】
この発明によれば、自機器の信号の入出力状態のみで、相手機器及び通信線の正常・異常を判断することができ、異常状態である場合、具体的に如何なる異常状態かを判別することができる、といった効果を奏する。
【発明を実施するための最良の形態】
【００１５】
実施の形態１．
この発明の第一の実施の形態による制御機器の異常検出装置を、図１乃至図３を用いて説明する。
図１は、この発明の第一の実施の形態による制御機器の異常検出装置の原理を示す構成図である。図１において、２台の制御機器である自制御機器１ａと相手制御機器１ｂは、相手機器及び通信線の異常を検知する通信線５０ａ乃至ｄと、互いのＶＣＣ８ａを突き合わせた通信線５０ｅと、互いのＧＮＤ１０ａを突き合わせた通信線５０ｆと、２制御機器間でデータの通信を行う通信線５０ｇからなる通信ケーブルで接続されている。また、通信線５０ｅ及びｆは、断線対策として、複数の信号線から構成されている。
なお、自制御機器１ａと相手制御機器１ｂとは同一構造であるが、以下、自制御機器１ａ側から見て説明する。
【００１６】
自制御機器１ａは、信号処理部２ａと異常検出部４ａとを備えている。信号処理部２ａは、ケーブルの抜け及び通信線の異常を通知するケーブル抜け検出出力ａと、ケーブルの抜け及び通信線の異常を検知するケーブル抜け検出入力ａと、相手制御機器１ｂに異常を通知するエラー検出出力ａと、エラー検出出力ａの出力状態を検知するエラー検出折返し入力ａと、自制御機器１ａの異常、ケーブル抜け及び、通信線の異常を検知するエラー検出入力ａと、ＶＣＣ８ａとＧＮＤ１０ａの短絡を検出する電源短絡検出入力ａの４入力２出力信号を備える。また、信号処理部２ａの２出力である、ケーブル抜け検出出力ａ及びエラー検出出力ａはＣ-MOS出力である。
そして、異常検出部４ａは、通信ケーブルの抜け及び通信線の異常を検出するケーブル抜け検出回路５ａと、相手機器の異常を検出するエラー検出回路６ａと、ＶＣＣ８ａとＧＮＤ１０ａの短絡を検出する電源短絡検出回路７ａを備えている。
【００１７】
ケーブル抜け検出回路５ａは、ケーブル抜け検出出力信号ａをプルアップする抵抗Ｒ１１ａと、ケーブル抜け検出回路入力ａをプルダウンする抵抗Ｒ１２ａを備える。
ケーブル抜け検出出力ａの出力は、ケーブル抜け検出入力ａ，エラー検出出力ａ，エラー検出折返し入力ａの３信号の状態により決定する。エラー検出出力ａがＨ，エラー検出折返し入力ａがＬとなった時、若しくは制御機器１ａのケーブル抜け検出入力ａがＬとなった時の２通りの信号状態ととなった時、信号処理部２ａがこれを検出して、制御機器１ａのケーブル抜け検出出力にＬを出力する。また、上記３信号が、上記２パターン以外の状態のときは、ケーブル抜け検出出力ａはＨを出力する。
ケーブル抜け検出入力ａの入力は、通信線５０ｂが正常であれば、相手制御機器１ｂのケーブル抜け検出出力ｂの出力を検知する。
【００１８】
エラー検出回路６ａは、エラー検出出力信号をプルダウンするＲ１３ａと、シュミットトリガインバータIＣ１９ａと、オープンドレイン出力インバータIＣ１８ａと、エラー検出折返し入力信号をプルダウンするＲ１４ａと、エラー検出入力をプルアップするＲ１５ａとを備える。
エラー検出出力ａは自制御機器１ａが正常な場合、Ｈを出力する。また、自制御機器１ａが異常な場合及び電源短絡検出入力ａがＬとなった場合、エラー検出出力ａよりＬが出力される。
また、制御機器１ａのエラー検出折返し入力ａは、制御機器１ａのエラー検出出力ａの出力を、IＣ１９ａ，IＣ１８ａを介して自制御機器１ａ内に折り返して入力する信号である。
そして、エラー検出入力ａの入力は、通信線５０ｄが正常であれば、制御機器１ｂのエラー検出出力ｂの出力をIＣ１８ｂ，IＣ１９ｂを介して検知する。
【００１９】
また、自制御機器１ａの電源は、異常検出部４ａに電源供給を行う電源ＶＣＣ８ａと、その他の回路部に電源供給を行う電源ＶＣＣ９ａとの２系統を備えており、ＶＣＣ８ａは、内部供給電源３ａにより、ＶＣＣ９ａから生成される。そして、自制御機器１ａの異常検出部電源であるＶＣＣ８ａと相手制御機器１ｂの異常検出部電源であるＶＣＣ８ｂとは、通信線５０ｅにより突き合わされている。
同様に、自制御機器のＧNＤも、異常検出部４ａのＧNＤであるＧＮＤ１０ａと、その他の回路部のＧNＤであるＧＮＤ１１ａとの２系統を備え、自制御機器１ａの異常検出部ＧNＤであるＧＮＤ１０ａと相手制御機器１ｂの異常検出部ＧNＤであるＧＮＤ１０ｂとは通信線ｆにより突き合わされている。
これにより、自制御機器１ａ及び相手制御機器１ｂのうち、どちらか一方が電源供給断になった時、もう一方の正常に電源供給されている制御機器により、通信線５０ｅ及び５０ｆを介して、電源供給断となった制御機器の異常検出部にも電源供給が行われる。よって、電源供給断となった制御機器は、信号処理部は機能を失うが、自制御機器１ａ及び相手制御機器１ｂ双方の異常検出部４ａ，４ｂは共に機能を維持することができる。
【００２０】
電源短絡検出回路７ａは、ＶＣＣ８ａとＧＮＤ１０ａ間に短絡が発生した場合に、これを検知する回路であるが、電源短絡検出回路７ａは、ＶＣＣ８ａとＧＮＤ１０ａ間の短絡発生時、内部供給電源３ａの出力とＶＣＣ８ａ間に電位を発生させる抵抗Ｒ１６ａと、他方の異常検出部電源ＶＣＣ８ｂより供給された異常検出電源が、内部供給電源３ａの出力に入力されることを防ぐダイオードＤ１７ａと、ＶＣＣ８ａとＧＮＤ１０ａ間に短絡が発生した時、短絡発生を信号処理部２ａに通知するシュミットトリガインバータIＣのIＣ２０ａを備える。
この電源短絡検出回路７ａにより、ＶＣＣ８ａとＧＮＤ１０ａ間に短絡が発生していない時、相手機器及び通信線の状態にかかわらず、信号処理部２ａにおける電源短絡検出入力ａに、Ｌが入力され、電源短絡発生時は、信号処理部２ａにおける電源短絡検出入力ａにＨが入力される。
【００２１】
このように構成された回路における相手機器及び通信線の状態と、自制御機器１ａの信号処理部２ａの入出力との関係は、図２に示すようになる。
【００２２】
まず、相手機器１ｂ及び通信線５０ａ乃至５０ｇの全てが正常な時、ケーブル抜け検出出力ａはＨを出力し、ケーブル抜け検出出力ｂもＨを出力するため、ケーブル抜け検出入力ａはＨとなる。
また、自制御機器１ａが正常な場合、エラー検出出力ａもＨを出力する。エラー検出出力ａよりＨが出力されると、IＣ１９ａを介して、IＣ１８ａにＬが入力され、IＣ１８ａはオープンドレイン出力インバータIＣであるため、IＣ１８ａの出力はハイインピーダンスとなる。
これにより、エラー検出折返し入力ａの入力は、Ｒ１５ｂとＲ１４ａの分圧比によって決定され、Ｒ１４ａの抵抗値は、Ｒ１５ｂの抵抗値に対して非常に大きくなっているため、エラー検出折返し入力ａの入力はＨとなる。そして、相手制御機器１ｂも正常なことから、エラー検出出力ｂもＨを出力し、IＣ１８ｂの出力はハイインピーダンスとなり、エラー検出入力ａの入力は、Ｒ１５ａとＲ１４ｂの分圧によって決定され、Ｒ１５ａの抵抗値は、Ｒ１４ｂの抵抗値に対して非常に小さくなっているため、エラー検出入力ａの入力はＨとなる。
【００２３】
相手制御機器１ｂの電源断が発生した場合、異常検出部電源ＶＣＣ８ｂには、自制御機器１ａの異常検出部電源ＶＣＣ８ａより電源供給がされ、異常検出部４ｂは機能を失わないが、信号処理部電源ＶＣＣ９ｂには電源供給されないため、信号処理部２ｂは機能しない。そのため、ケーブル抜け検出出力ｂ、エラー検出出力ｂの出力は共にハイインピーダンスとなる。
このため、ケーブル抜け検出入力ａの入力はＲ１１ｂとＲ１２ａとの分圧によって決定する。Ｒ１２ａの抵抗値は、Ｒ１１ｂの抵抗値に比べて、非常に大きいため、ケーブル抜け検出入力ａはＨとなる。また、IＣ１９ｂの入力には、Ｒ１３ｂによりプルダウンされ、Ｌが入力される。よって、IＣ１８ａの出力はＬとなり、エラー検出入力ａにはＬが入力される。
ケーブル抜け検出出力ａ、エラー検出出力ａは、自制御機器１ａが正常なため、共にＨを出力し、エラー検出折返し入力ａにもＲ１４ａとＲ１５ｂの分圧比よりＨが入力される。
【００２４】
通信線５０ａが断線、若しくはＧNＤに短絡するなどしてＬ固定故障となった場合、ケーブル抜け検出入力ｂはＲ１２ｂによりプルダウンされるため、若しくはＬ固定故障のためＬが入力される。これを、信号処理部１ｂが検知して、ケーブル抜け検出出力ｂはＬを出力し、これにより、ケーブル抜け検出入力ａにはＬが入力される。また、信号処理部１ａが、ケーブル抜け検出入力ａにＬが入力されたことを検知して、ケーブル抜け検出出力ａはＬとなる。エラー検出出力ａは、自制御機器１ａが正常なことからＨを出力し、エラー検出折返し入力ａにもＲ１４ａとＲ１５ｂの分圧比よりＨが入力される。また、相手制御機器１ｂが正常なことから、エラー検出出力ｂからＨが出力されるため、エラー検出入力ａもＨとなる。
【００２５】
通信線５０ｂが断線若しくはＬ固定故障となった場合、ケーブル抜け検出入力ａはＲ１２ａによるプルダウンのため、若しくはＬ固定故障のためＬが入力され、これによりケーブル抜け検出出力ａはＬを出力する。エラー検出出力ａは、自制御機器１ａが正常なことからＨを出力し、エラー検出折返し入力ａにもＲ１４ａとＲ１５ｂの分圧比よりＨが入力される。また、相手制御機器１ｂが正常なことから、エラー検出出力ｂからＨが出力されるため、エラー検出入力ａもＨとなる。
【００２６】
通信線５０ｃが断線、若しくはＬ固定故障となった場合、自制御機器１ａが正常なため、エラー検出出力ａはＨを出力する。これにより、IＣ１８ａの出力はハイインピーダンスとなるが、通信線５０ｃが断線している時は、Ｒ１４ａによりプルダウンされるため、若しくはＬ固定故障のため、エラー検出折返し入力にはＬが入力される。エラー検出出力ｂは相手制御機器１ｂが正常なためＨを出力し、これによりエラー検出入力ａにはＨが入力される。
また、エラー検出出力ａはＨ、エラー検出折返し入力はＬのため、信号処理部２ａがこれを検出して、ケーブル抜け検出出力ａはＬを出力する。これにより、ケーブル抜け検出入力ｂもＬが入力され、これを信号処理部２ｂが検知してケーブル抜け検出出力ｂはＬとなり、ケーブル抜け検出入力ａはＬが入力される。
【００２７】
通信線５０ｄが断線、若しくはＬ固定故障となった場合、エラー検出入力ａには、Ｒ１５ａによるプルアップによりＨが入力される。また、Ｌ固定故障となった時には、エラー検出入力ａには強制的にＬが入力される。この時、相手制御機器１ｂにおけるエラー検出出力ｂはＨ、エラー検出折返し入力ｂはＬとなるため、信号処理部１ｂがこれを検出して、ケーブル抜け検出出力ｂよりＬが出力される。そのため、ケーブル抜け検出出力ａ、ケーブル抜け検出入力ａには共にＬが入出力される。
また、エラー検出出力ａは制御機器１ａが正常なため、エラー検出折返し出力は、Ｒ１４ａとＲ１５ｂの分圧比より、共にＨが入出力される。
【００２８】
相手制御機器１ｂが異常の場合、エラー検出出力ｂがＬを出力するため、エラー検出入力ａにはＬが入力される。また、その他の信号である、ケーブル抜け検出出力ａ、ケーブル抜け検出入力ａ、エラー検出出力ａ、エラー検出折返し入力ａは自制御機器１ａ、通信線いずれも正常なため、すべてＨが入出力される。
【００２９】
異常検出部電源のＶＣＣ８ａ若しくはＶＣＣ８ｂと、異常検出部ＧNＤのＧＮＤ１０ａとＧＮＤ１０ｂが短絡した場合、ＶＣＣ８ａとＧＮＤ１０ａ間に発生する短絡電流により、Ｒ１３ａに電位が発生する。これにより、ＶＣＣ８ａはＬとなるが、内部供給電源３ａから見てＲ１６ａより内側の電位はＨに保たれる。このため、IＣ２０ａの電源は正常に供給され、IＣ２０ａは正常に動作する。そして、ＶＣＣ８ａの電位は短絡時ＬとなるためIＣ２０ａはＨを出力し、電源短絡検出入力ａにＨが入力される。これを信号処理部２ａが検知して、エラー検出出力ａはＬを出力し、IＣ１８ａの出力はＬとなるため、エラー検出折返し入力ａはＬが入力される。この時、相手制御機器１ｂにおいても、ＶＣＣ８ｂとＧＮＤ１０ｂの短絡は発生するため、エラー検出出力ｂはＬを出力し、よって、エラー検出入力ａはＬとなる。
また、ケーブル抜け検出出力ａは自制御機器１ａが正常なため、ケーブル抜け検出入力ａはＲ１２ａとＲ１１ｂの分圧比より、共にＨが入出力される。
【００３０】
以上に図２を用いて説明した、相手機器及び通信線の状態と、信号処理部２ａにおける信号の入出力状態との関係を、信号処理部２ａにおける入力信号の状態により区別すると、図３に示すような、相手機器及び通信線の状態と信号処理部２ａにおける入力信号状態の組合せが得られる。
【００３１】
上述の説明から、図２に示すように、制御機器１ａの信号処理部２ａにおける４本の入力信号、すなわち、ケーブル抜け検出入力，エラー検出折返し入力，エラー検出入力，電源異常検出入力が、それぞれ、Ｈ，Ｈ，Ｈ，Ｌとなった場合、自制御機器１ａは、相手機器及び通信ケーブル共に正常と判別することが可能となる。
【００３２】
また、上述の説明から、図２に示すように、制御機器１ａの信号処理部２ａにおける４本の入力信号であるケーブル抜け検出入力，エラー検出折返し入力，エラー検出入力，電源異常検出入力が、それぞれ、Ｈ，Ｈ，Ｌ，Ｌとなった場合、自制御機器１ａは、相手機器電源断と判別することが可能となる。
【００３３】
また、上述の説明から、図２に示すように、制御機器１ａの信号処理部２ａにおける４本の入力信号であるケーブル抜け検出入力，エラー検出折返し入力，エラー検出入力，電源異常検出入力が、それぞれ、Ｌ，Ｈ，Ｈ，Ｌとなった場合、自制御機器１ａは、通信線ａ断線，通信線ｂ断線，通信線ｃ断線，通信線ａのＬ固定故障，通信線ｂのＬ固定故障のいずれかと判別することが可能となる。
【００３４】
また、上述の説明から、図２に示すように、制御機器１ａの信号処理部２ａにおける４本の入力信号であるケーブル抜け検出入力，エラー検出折返し入力，エラー検出入力，電源異常検出入力が、それぞれ、Ｌ，Ｌ，Ｈ，Ｌとなった場合、自制御機器１ａは、通信線ｃ断線，全通信線断線，通信線ｃのＬ固定故障のいずれかと判別することが可能となる。
【００３５】
また、上述の説明から、図２に示すように、制御機器１ａの信号処理部２ａにおける４本の入力信号であるケーブル抜け検出入力，エラー検出折返し入力，エラー検出入力，電源異常検出入力が、それぞれ、Ｌ，Ｈ，Ｌ，Ｌとなった場合、自制御機器１ａは、通信線ｄのＬ固定故障と判別することが可能となる。
【００３６】
また、上述の説明から、図２に示すように、制御機器１ａの信号処理部２ａにおける４本の入力信号であるケーブル抜け検出入力，エラー検出折返し入力，エラー検出入力，電源異常検出入力が、それぞれ、Ｈ，Ｌ，Ｌ，Ｈとなった場合、自制御機器１ａは、ＶＣＣ８ａとＧＮＤ１０ａが短絡したと判別することが可能となる。
【図面の簡単な説明】
【００３７】
【図１】この発明の実施の形態による異常検出装置の構成図。
【図２】この発明の実施の形態による異常検出装置の、信号処理部の４入力と、相手機器及び通信線の相対関係を示す図。
【図３】この発明の実施の形態による異常検出装置の、相手機器および通信線の状態と、信号処理部の４入力の組合せ状態の相対関係を示す図。
【符号の説明】
【００３８】
１ａ，１ｂ  制御機器
２ａ，２ｂ  信号処理部
３ａ，３ｂ  内部供給電源
４ａ，４ｂ  異常検出部
５ａ，５ｂ  ケーブル抜け検出回路
６ａ，６ｂ  エラー検出回路
７ａ，７ｂ  電源短絡検出回路
５０ａ，５０ｂ，５０ｃ，５０ｄ，５０ｅ，５０ｆ，５０ｇ  通信線
【図１】
2005242734.tif 000003
【図２】
2005242734.tif 000004
【図３】
2005242734.tif 000005